(57)【要約】【課題】蓋体の回転とともに移動しない指掛け用壁部をコンパクト本体の後部から起立させて、コンパクト本体の前部と指掛け用壁部とを前後方向から片手で挟むことで安定して保持できるコンパクト容器を提供する。【解決手段】コンパクト本体２と、このコンパクト本体２の後部側にコンパクト本体２の上面を開閉可能な状態で枢着された蓋体３０とからなるコンパクト容器である。上記コンパクト本体２は、その後部２ａの左右方向中間部から起立した指掛け用壁部１０を有しており、上記蓋体３０は、その後部左右両側から後方突出した左右一対の支持脚部３６を有し、これら両支持脚部３６の内面と指掛け用壁部１０の左右両側とを枢軸部Ａを介して枢着させている。【選択図】図１
2017080284.tif 000002
【特許請求の範囲】
【請求項１】
コンパクト本体(２)と、
このコンパクト本体(２)の後部側にコンパクト本体(２)の上面を開閉可能な状態で枢着された蓋体(３０)と、
からなるコンパクト容器において、
上記コンパクト本体(２)は、その後部(２ａ)の左右方向中間部から起立した指掛け用壁部(１０)を有しており、
上記蓋体(３０)は、その後部左右両側から後方突出した左右一対の支持脚部(３６)を有し、
これら両支持脚部(３６)の内面と指掛け用壁部(１０)の左右両側とを枢軸部(Ａ)を介して枢着させたことを特徴とする、コンパクト容器。
【請求項２】
上記両支持脚部(３６)の内面である凹端面(３８)と、両凹端面の間の後向きの凹底面(４８)とによって平面視略凹字状の収納凹部(Ｃ)を形成させ、
この収納凹部(Ｃ)内に上記指掛け用壁部(１０)を収納させたことを特徴とする、請求項１記載のコンパクト容器。
【請求項３】
上記凹底面(４８)は、閉蓋状態で上方から見て前方側へ弯曲した形状であることを特徴とする、請求項２に記載のコンパクト容器。
【請求項４】
上記指掛け用壁部(１０)の後面に、指当て用凹部(１４)を形成していることを特徴とする、請求項１から請求項３の何れかに記載のコンパクト容器。
【請求項５】
上記コンパクト本体(２)の後部のうち指掛け用壁部(１０)の左右両側の部分を、上記支持脚部(３６)と当接可能な脚台(２０)とし、
上記支持脚部(３６)の外面は、枢軸部(Ａ)の軸方向から見て枢軸部(Ａ)を中心とする仮想の円弧線(Ｐ)にほぼ対応した断面形状を有し、かつ開蓋操作において上記脚台(２０)の上面と摺接可能な摺動弧面(４２)に形成されており、
この摺動弧面(４２)は、周方向の一部で上記円弧線(Ｐ)より上記軸方向から見て外方へ膨らむ膨出部(４４)を有し、
コンパクト本体(２)に対して蓋体(３０)を一定角度回転させたときに、上記膨出部(４４)が上記脚台(２０)の上面に喰い込んだ状態となり、上記一定角度以上の開方向への蓋体(３０)の回転を停止することが可能に設けたことを特徴とする、請求項１から請求項４の何れかに記載のコンパクト容器。
【請求項６】
上記脚台(２０)は、その上面側に、上記支持脚部(３６)の摺動弧面(４２)と当接可能な状態で埋め込まれた弾性摩擦部(２４)を含むことを特徴とする、請求項５記載のコンパクト容器。
【請求項７】
上記枢軸部(Ａ)は、上記凹端面(３８)と指掛け用壁部(１０)の対向面とのうちの一方側に設けた軸穴(４０)と、他方側に固定させた状態で上記軸穴(４０)内へ突入させた軸棒(５０)とで構成され、
これら軸穴(４０)の内面と軸棒(５０)の外面とに、コンパクト本体(２)に対する蓋体(３０)の開蓋角度が一定の角度となったときにかみ合う係合手段(Ｅ)を形成したことを特徴とする、請求項１から請求項６の何れかに記載のコンパクト容器。
【発明の詳細な説明】
【技術分野】
【０００１】
本発明は、コンパクト容器に関する。
【背景技術】
【０００２】
コンパクト本体と蓋体との各後部を枢着させたコンパクト容器であって、コンパクト本体の後部の左右方向中間部を切り欠いて収納凹部とするとともに、蓋体の後部の左右方向中間部から指掛け用壁部を兼ねる垂下壁部を垂設し、垂下壁部を上記収納凹部内に嵌合させて、両者の対向箇所を枢着したものが知られている（特許文献１）。
【先行技術文献】
【特許文献】
【０００３】
【特許文献１】特開平１１−３３２６４１
【発明の概要】
【発明が解決しようとする課題】
【０００４】
コンパクト容器の蓋体を開けるときには、コンパクト本体の蓋体を片手で前後から挟んで固定し、もう一方の手で蓋体を持ち上げるという動作が一般的である。特許文献１のものでは、容器の後側の指掛け部分が蓋体と一体的形成されているために、蓋体を開けると同時に指掛け部分も回転・移動してしまい、容器を安定的に固定しづらいという問題点があった。
【０００５】
本発明の目的は、蓋体の回転とともに移動しない指掛け用壁部をコンパクト本体の後部から起立させて、コンパクト本体の前部と指掛け用壁部とを前後方向から片手で挟むことで安定して保持できるコンパクト容器を提供することである。
【課題を解決するための手段】
【０００６】
第１の手段は、
コンパクト本体２と、
このコンパクト本体２の後部側にコンパクト本体２の上面を開閉可能な状態で枢着された蓋体３０と、
からなるコンパクト容器において、
上記コンパクト本体２は、その後部２ａの左右方向中間部から起立した指掛け用壁部１０を有しており、
上記蓋体３０は、その後部左右両側から後方突出した左右一対の支持脚部３６を有し、
これら両支持脚部３６の内面と指掛け用壁部１０の左右両側とを枢軸部Ａを介して枢着させてなる。
【０００７】
本手段では、図１及び図２に示すように、コンパクト本体２は、その後部２ａの左右方向中間部から指掛け用壁部１０を起立させることを提案している。この指掛け用壁部１０とコンパクト本体２の前側とを指で挟んで（図６参照）、コンパクト本体を安定的に保持し、この状態で蓋体３０を開くことができる。指掛け用壁部１０は、蓋体３０が有する収納凹部Ｃ内に収納される。
【０００８】
第２の手段は、第１の手段を有し、かつ
上記両支持脚部３６の内面である凹端面３８と、両凹端面の間の後向きの凹底面４８とによって平面視略凹字状の収納凹部Ｃを形成させ、
この収納凹部Ｃ内に上記指掛け用壁部１０を収納させている。
【０００９】
本手段では、図１に示すように、両支持脚部３６の内面である凹端面３８と、両凹端面の間の後向きの凹底面４８とによって平面視略凹字状の収納凹部Ｃを形成させている。そしてこの収納凹部Ｃ内に上記指掛け用壁部１０を収納させているので、指掛け用壁部を有するコンパクト本体２に対して蓋体３０を体裁よく組み付けることができる。
【００１０】
第３の手段は、第２の手段を有し、かつ
凹底面４８は、閉蓋状態で上方から見て前方側へ弯曲した形状である。
【００１１】
本手段では、図１に示すように、上記収納凹部Ｃの凹底面４８を、閉蓋状態で前方側へ弯曲した形状としている。これにより、図６に示す開蓋操作において、指掛け用壁部１０の後面の指掛け箇所と上記凹底面４８との間に距離をとることができ、コンパクト本体２と蓋体３０との間に指が挟まることを防止できる。
【００１２】
第４の手段は、第１の手段から第３の手段のいずれかを有し、かつ
上記指掛け用壁部１０の後面に、指当て用凹部１４を形成している。
【００１３】
本手段では、図８及び図９に示すように、指掛け用壁部１０の後面に、指当て用凹部１４を形成している。これにより指当て用凹部１４内に挿入した指が蓋体３０に当たらないようにすることができる。
【００１４】
第５の手段は、第１の手段から第４の手段のいずれかを有し、かつ
上記コンパクト本体２の後部のうち指掛け用壁部１０の左右両側の部分を、上記支持脚部３６と当接可能な脚台２０とし、
上記支持脚部３６の外面は、枢軸部Ａの軸方向から見て枢軸部Ａを中心とする仮想の円弧線Ｐにほぼ対応した断面形状を有し、かつ開蓋操作において上記脚台２０の上面と摺接可能な摺動弧面４２に形成されており、
この摺動弧面４２は、周方向の一部で上記円弧線Ｐより上記軸方向から見て外方へ膨らむ膨出部４４を有し、
コンパクト本体２に対して蓋体３０を一定角度回転させたときに、上記膨出部４４が上記脚台２０の上面に喰い込んだ状態となり、上記一定角度以上の開方向への蓋体３０の回転を停止することが可能に設けた。
【００１５】
本手段では、図１１及び図１２に示すように、支持脚部３６の外面である摺動弧面４２の一部に膨出部４４を形成することを提案する。そしてコンパクト本体２に対して蓋体３０を開方向へ一定角度回転させたときに上記膨出部４４がコンパクト本体２の脚台２０の上面へめり込んで、当該一定角度以上に蓋体３０を開くことを規制できるように設けている。
【００１６】
第６の手段は、第５の手段を有し、かつ
上記脚台２０は、その上面側に、上記支持脚部３６の摺動弧面４２と当接可能な状態で埋め込まれた弾性摩擦部２４を含む。
【００１７】
本手段では、図１１に示すように、脚台２０の上面に弾性摩擦部２４を埋め込むことを提案している。蓋体３０を回転させたときには、支持脚部３６の膨出部４４が上記弾性摩擦部２４に喰い込む。これにより、十分な圧接力が得られ、蓋体３０を一定角度に保持し易い。また蓋体を固定状態から閉方向へ回転させることも容易であり、蓋体の開閉する動作をスムーズに行うことができる。
【００１８】
第７の手段は、第１の手段から第６の手段のいずれかを有し、かつ
上記枢軸部Ａは、上記凹端面３８と指掛け用壁部１０の対向面とのうちの一方側に設けた軸穴４０と、他方側に固定させた状態で上記軸穴４０内へ突入させた軸棒５０とで構成され、
これら軸穴４０の内面と軸棒５０の外面とに、コンパクト本体２に対する蓋体３０の開蓋角度が一定の角度となったときにかみ合う係合手段Ｅを形成している。
【００１９】
本手段では、図１３に示すように、枢軸部Ａを構成する回転軸（図示例では軸棒５０）と軸受部分（同例では軸穴４０）とに相互にかみ合う係合手段Ｅを設けることを提案している。係合手段は、コンパクト本体に対する蓋体の開蓋角度が予め定めた一定の角度となったときにかみ合うようにしている。これにより、蓋体３０の開状態を維持できるとともに、利用者は、係合手段Ｅがかみ合う時の感触により蓋体の角度が所定の角度であることを認識することができる。係合手段は、上記回転軸及び軸受部分に凹凸を設けることで、クリック感を生じさせるものとすることが好適である。
【発明の効果】
【００２０】
第１の手段に係る発明によれば、コンパクト本体２の後部側から指掛け用壁部１０を起立したから、この指掛け用壁部１０とコンパクト本体２の前部側とにそれぞれ一方の手の２本の指を当て、他方の手で蓋体３０を把持して開くことができるので、開蓋操作の際にコンパクト本体２を安定して持つことができる。
また蓋体との枢着部側のコンパクト本体の外周壁部から指掛け用壁部を起立しているので、蓋体を開放する際、開け易い。
第２の手段に係る発明によれば、平面視略凹字状の収納凹部Ｃ内に上記指掛け用壁部１０を収納させたので、体裁がよい。
第３の手段に係る発明によれば、収納凹部Ｃの凹底面４８は閉蓋状態で上方から見て前方側へ弯曲した形状であるので、開蓋操作の際に凹底面４８が指に当たって邪魔になることがない。
第４の手段に係る発明によれば、上記指掛け用壁部１０の後面に、指当て用凹部１４を形成しているので、指が蓋体３０とコンパクト本体２との間に挟まることを防止できる。
第５の手段に係る発明によれば、支持脚部３６の摺動弧面４２の一部に設けた膨出部４４が、蓋体３０を一定角度回転させたときに、上記膨出部４４が上記凹底面４８と喰い込み、それ以上の開方向への蓋体３０の回転を停止するから、蓋体３０の開度を規制できる。
第６の手段に係る発明によれば、脚台２０の上面側に、上記支持脚部３６の摺動弧面４２と当接可能な弾性摩擦部２４を埋め込んだから、蓋体３０のスムーズな動作が担保される。
第７の手段に係る発明によれば、装着部の軸穴４０の内面と軸棒５０の外面とに、コンパクト本体２に対する蓋体３０の開蓋角度が一定の角度となったときにかみ合う係合手段Ｅを形成したから、蓋体３０の開度を一定の角度に保つことができる。また係合手段Ｅのかみ合いによる感触（クリック感）で、蓋体の開蓋角度が一定の角度になったことを利用者が容易に認識することができる。
【図面の簡単な説明】
【００２１】
【図１】本発明の第１実施形態に係るコンパクト容器の平面図である。
【図２】図１のコンパクト容器の背面図である。
【図３】図１のコンパクト容器の正面図である。
【図４】図１のコンパクト容器の側面図である。
【図５】図１のコンパクト容器の開状態での平面図である。
【図６】図１のコンパクト容器の使用状態説明図である。
【図７】本発明の第２実施形態に係るコンパクト容器の平面図である。
【図８】図７のコンパクト容器の背面図である。
【図９】図７のコンパクト容器の使用状態説明図である。
【図１０】本発明の第３実施形態に係るコンパクト容器の一部拡大平面図である。
【図１１】図１０のコンパクト容器の一部の側面図である。
【図１２】図１０のコンパクト容器の使用状態説明図である。
【図１３】本発明の第４実施形態に係るコンパクト容器の要部の拡大側面図である。
【図１４】図１３のコンパクト容器の使用状態説明図であり、同図（Ａ）は蓋体を半ば開放した状態、同図（Ｂ）は蓋体を１８０度開放した状態をそれぞれ示す。
【発明を実施するための最良の形態】
【００２２】
図１から図６は、本発明の第１実施形態に係るコンパクト容器を示している。このコンパクト容器は、コンパクト本体２と蓋体３０とで構成されている。これら各部材は、例えば合成樹脂により形成することができる。
【００２３】
コンパクト本体２は、上面開口であり、その後部２ａに後述の蓋体３０が枢着されている。
なお、本明細書では、側面図である図４の右側を“後”、同図の左側を“前”、これらと直交する向きを“左右”と表現するものとする。
本実施形態においては、図３に示すように、矩形の底壁部４の外周から外周壁部６が比較的短く起立されており、この外周壁部６の前側に前側指掛け部８を設け、また図２に示すように、外周壁部６の後壁部のうち左右方向中間部を残りの部分より高くして指掛け用壁部１０に形成している。また後壁部のうちで指掛け用壁部１０の左右両側の部分は、脚台２０に形成している。もっともコンパクト本体２の形状は適宜変更することができる。
また図示例では、上記前側指掛け部８に押釦部を形成している。この押釦部は、蓋体の前部とコンパクト本体の前部とのロック機構を、その押込みにより解除できるように設けるとよい。
【００２４】
上記指掛け用壁部１０は、図１及び図２に示すように、コンパクト本体２の後壁部の残りの部分（脚台２０）に比べて左右方向に長く形成され、その左右方向の両端面には後述の軸棒５０を挿入するための固定穴１２を穿設している。
また指掛け用壁部１０は、後述の支持脚部３６の厚み（図２に示す上下幅）の分だけ脚台２０よりも高く形成されている。
また指掛け用壁部１０の前面は、図５に示すように、上方から見て、後述の収納凹部Ｃの凹底面４８に対応して前方に弯曲している。
【００２５】
図示例では、上記指掛け用壁部１０の上面と前面との角部を面取りすることで、図６に示すように、第１弯曲面Ｓ１が形成されている。これは、開蓋操作の際に同図に想像線で示す凹底面４８の軌道に指掛け用壁部１０の前面上端部が入って凹底面４８に擦り付けられることを防止するためである。また図示例では、上記指掛け用壁部１０の上面と後面との間でも面取りをして第２弯曲面Ｓ２を形成している。これは、仮に指掛け用壁部と凹底面との間に指先が挟まっても利用者が痛みを感じないようにするためである。
【００２６】
上記脚台２０は、本実施形態において後述の支持脚部３６を載置する台となっている。もっともこの構造は適宜変更することができる。脚台２０の上面は平坦な水平面に形成している。
【００２７】
蓋体３０は、上記コンパクト本体２の後部２ａに枢着され、コンパクト本体２の上面を開閉自在に形成されている。本実施形態の蓋体３０は、矩形の蓋板部３２の外周部から短い蓋周壁部３４を垂下している。もっとも蓋体３０の形状は適宜変更できる。
【００２８】
上記蓋周壁部３４の後壁部の左右両部から左右一対の支持脚部３６を後方突出しており、これら支持脚部３６を介して、蓋体３０とコンパクト本体２とを連結し、相互に枢着している。
「支持脚部」という用語は、蓋体３０を開方向へ回転して起立状態としたときに脚部となる箇所という程度の意味で使われており、その構造・形状は特に図示例のものに限られない。図示の支持脚部３６は脚台２０の上面に接しているが、これは本発明の必須要件ではない。
【００２９】
上記左右一対の支持脚部３６の少なくとも内面（左右方向の内側面をいう）には、後述の軸棒５０を装着させるための軸穴４０を開口させている。図示例では、この軸穴４０を上記左右一対の支持脚部３６の外面へ開通しており、左右方向外方から軸棒５０を挿通できるようにしている。
上記軸穴４０の内部から固定穴１２の内部へ軸棒５０が挿入され、軸棒５０の先端部を固定穴１２内へ抜け出し不能に固定する。この軸棒５０と軸穴４０とで枢軸部Ａが形成される。
【００３０】
上記支持脚部３６の左右方向（軸方向）から見た外面は、図４に示す通り、軸穴４０を中心とする円弧に沿った摺動弧面４２としており、蓋体３０を回転させたときに脚台２０の上面におおよそ常時接することが可能に形成している。もっとも摺動弧面４２の形状は適宜変更することができる。
【００３１】
上記左右一対の支持脚部３６の間には、指掛け用壁部１０収納用の収納凹部Ｃが設けられる。
この収納凹部Ｃは、上記支持脚部３６の内面である一対の凹端面３８と、両支持脚部３６の間の蓋周壁部分の後面である後向きの凹底面４８とで画成される。
好適な本実施形態では、この凹底面４８は、図１に示すように上方から見て、前方側へ弯曲して（或いはＲ形状に曲げて）おり、蓋体３０を図５に示すように開方向へ回転させたときに、凹底面４８が指掛け用壁部１０の後面に当てた指から離れる（言い換えれば、指から逃げる）如く形成されている。
図示例では、凹底面全体が一本の弓の如く前方へ弯曲しているが、凹底面のうち左右方向中央部だけを前方へ弯曲させてもよく、指掛け用壁部に当てた指から離すという作用の範囲で凹底面の形状は適宜変更させてよい。
また本実施形態と異なり、凹底面４８の形状を上方から見て直線状に形成しても構わない。
【００３２】
上記構成において、図４の状態から前側指掛け部８と指掛け用壁部１０とにそれぞれ前後方向から片手の指を掛けると、コンパクト本体２を安定して支持することができる。この状態で、他方の手で蓋体３０を開蓋操作することができる。
【００３３】
以下、本発明の他の実施形態を説明する。これらの説明において第１実施形態と同じ構成については解説を省略する。
【００３４】
図７から図９は、本発明の第２実施形態に係るコンパクト容器を示している。この実施形態では、上記指掛け用壁部１０の後面のうち上端部を除く部分を指当て用凹部１４に形成している。指掛け用壁部１０の後面の上端部を庇状の仕切り壁部１６としている。
これにより、コンパクト本体２の前側及び後側を指で挟むときに、指当て用凹部１４内へ指を当てることで、蓋体と触れる位置から指を逃がすことができる。そのため、蓋体３０を開閉するときに、凹底面４８との間に指を挟むことを避けられる。
なお、指当て用凹部１４の形状は適宜変更することができ、例えば仕切り壁部１６を省略することができる。
【００３５】
図１０から図１２は、本発明の第３実施形態に係るコンパクト容器を示している。この実施形態では、まず支持脚部３６の摺動弧面４２を、蓋体３０を開方向へ回転させる際に、蓋体３０の開度が一定角度以下のときに脚台２０の上面と接する部分と、それ以外の部分とに分け、前者は、枢軸部Ａを中心とする円弧線Ｐに沿う部分真円の形状に形成させるとともに、後者は、図示のような膨出部４４に形成させている。この膨出部４４は、上記円弧線Ｐを超えて外側に若干膨らませている。すなわち、摺動弧面４２のＲ（曲率半径）が周方向の途中から変わるように形成されている。
図１１の状態では、支持脚部３６は、脚台２０側へ喰い込んでおらず（締め代がなく）、図１２に示すように蓋体３０を回転させることで、支持脚部３６の膨出部４４が脚台２０の上面に喰い込む（一定の締め代ａの分だけ脚台２０側へめり込む）ようにしている。この喰い込みにより蓋体３０が上記一定角度以上に開方向へ回転することを規制している。
なお、“若干膨らませる”というのは、膨出部４４が脚台２０の上面に衝突して枢軸部Ａが破損することのないように、蓋体３０の緩やかな停止を可能とする程度にという意味である。
【００３６】
また好適な図示例では、脚台２０のうち上記支持脚部３６と接する箇所に、装着穴２２を形成し、この装着穴２２内に弾性摩擦部２４を埋め込ませている。
脚台２０及び支持脚部３６が硬質材料で形成されていると、例えば支持脚部３６の膨出部４４が脚台２０の上面へ過剰に喰い込んで動かないという不都合が生ずる可能性があるが、弾性摩擦部２４を設けることにより、蓋体３０のスムーズな動作が得られる。また上述の過剰な喰い込みに伴って枢軸部Ａが破損するなどの不都合も回避できる。
上記弾性摩擦部２４は、例えばゴムや軟材質で形成することができる。
もっとも弾性摩擦部２４を埋め込む代わりに例えば蓋体３０を弾性的な材料で形成することもできる。
【００３７】
上記構成において、蓋体３０を開いていくと、次第に弾性摩擦部２４に対する膨出部４４の締め代が増え、抵抗感が増大する。
【００３８】
図１３から図１４は、本発明の第４実施形態に係るコンパクト容器を示している。本実施形態では、蓋体３０を一定の角度に保つために枢軸部Ａの軸棒５０と軸穴４０との間の係合手段Ｅを設けている。係合手段Ｅは、軸棒５０の外面及び軸穴４０の内面との何れか一方に形成する係合凸部ｅ１及び他方に形成する係合凹部ｅ２で構成される。これら係合凸部ｅ１及び係合凹部ｅ２により蓋体３０を開方向へ回転した後の所定位置に停止させることができる。
なお、軸棒５０の端部は、指掛け用壁部１０の固定穴１２内に回転不能に固定されているものとする。
また軸棒５０は、例えば樹脂ピンとして形成され、蓋体の回転により係合凸部ｅ１が係合凹部ｅ２を乗り越える程度の弾性変形が可能に形成することが望ましい。軸棒の代わりに（或いは軸棒とともに）軸穴側を弾性変形可能な材料で形成してもよい。
【００３９】
図示例では、軸棒５０側に係合凸部ｅ１を、軸穴４０側に係合凹部ｅ２をそれぞれ形成しているが、軸棒５０側に係合凹部ｅ２を、軸穴４０側に係合凸部ｅ１をそれぞれ形成しているもよい。
係合凸部ｅ１及び係合凹部ｅ２は、それぞれ一つだけ設けてもよいが、係合凸部ｅ１及び係合凹部ｅ２の一方又は双方を複数設けて、蓋体３０の開度を多段的に調整・保持できるようにしてもよい。
【００４０】
また好適な図示例では、軸棒５０は、丸棒の一部の周面に等角的に複数の係合凸部ｅ１を形成している。軸穴４０は、丸穴状であり、軸棒５０の係合凸部形成箇所に対応させて、等角的に係合凹部ｅ２を形成している。
なお、図面では作図上の都合から軸棒及び軸穴の側面視を多角形状に描いているが、この形状に限られるものではなく、円弧の輪郭を残しつつ離間的に凸部及び凹部を形成した形状であっても構わない。
【符号の説明】
【００４１】
２…コンパクト本体  ２ａ…後部  ４…底壁部  ６…外周壁部  ８…前側指掛け部
１０…指掛け用壁部  １２…固定穴  １４…指当て用凹部  １６…仕切り壁部
２０…脚台  ２２…装着穴  ２４…弾性摩擦部
３０…蓋体  ３２…蓋板部  ３４…蓋周壁部  ３６…支持脚部
３８…同内面（凹端面）  ４０…軸穴
４２…摺動弧面  ４４…膨出部  
４８…凹底面  ５０…軸棒
Ａ…枢軸部  ａ…締め代
Ｃ…収納凹部  Ｅ…係合手段  ｅ１…係合凸部  ｅ２…係合凹部  Ｐ…円弧線
Ｓ１…第１弯曲面  Ｓ２…第２弯曲面面
【図１】
2017080284.tif 000003
【図２】
2017080284.tif 000004
【図３】
2017080284.tif 000005
【図４】
2017080284.tif 000006
【図５】
2017080284.tif 000007
【図６】
2017080284.tif 000008
【図７】
2017080284.tif 000009
【図８】
2017080284.tif 000010
【図９】
2017080284.tif 000011
【図１０】
2017080284.tif 000012
【図１１】
2017080284.tif 000013
【図１２】
2017080284.tif 000014
【図１３】
2017080284.tif 000015
【図１４】
2017080284.tif 000016